(57)【要約】【課題】アナログムーブメントを有するとともに、ＬＥＤを備える携帯時計において、アナログムーブメント駆動用の時計駆動回路を実装する基板と、ＬＥＤを実装する基板との接続の信頼性を向上する。【解決手段】第１部分１７と第２部分１８とそれらを連結する連結部１９とからなるフレキシブル基板２０を用い、そのフレキシブル基板の第１部分にＬＥＤ２２、２７を実装するとともに、第２部分に、時計駆動回路２３を実装するリジット基板２５を重ね合わせて回路基板１６を構成し、その回路基板をアナログムーブメント１５に搭載し、連結部で折り曲げてモジュール中に組み付けてなる。【選択図】図１
2008151589.tif 000002
【特許請求の範囲】
【請求項１】
アナログムーブメントを有するとともに、ＬＥＤを備える携帯時計において、
第１部分と第２部分とそれらを連結する連結部とからなるフレキシブル基板を用い、そのフレキシブル基板の前記第１部分に前記ＬＥＤを実装するとともに、前記第２部分に、時計駆動回路を実装するリジット基板を重ね合わせて回路基板を構成し、
その回路基板を前記アナログムーブメントに搭載し、前記連結部で折り曲げてモジュール中に組み付けてなることを特徴とする携帯時計。
【請求項２】
前記ＬＥＤを文字板の裏側に配置し、そのＬＥＤを点灯したときにのみ前記ＬＥＤの光が前記文字板を透して視認し得る光透過率で前記文字板を形成してなることを特徴とする、請求項１に記載の携帯時計。
【請求項３】
前記第１部分に前記ＬＥＤを７セグメント配置構成に実装してなることを特徴とする、請求項１または２に記載の携帯時計。
【請求項４】
前記第１部分に前記ＬＥＤをドットマトリックス配置構成に実装してなることを特徴とする、請求項１または２に記載の携帯時計。
【請求項５】
前記ＬＥＤを照明用として使用することを特徴とする、請求項１または２に記載の携帯時計。
【請求項６】
第１部分と、第２部分と、それらを連結する連結部とからなるフレキシブル基板を用い、そのフレキシブル基板の前記第１部分にＬＥＤを実装するとともに、前記第２部分に、時計駆動回路を実装するリジット基板を重ね合わせてなることを特徴とする、携帯時計用回路基板。
【発明の詳細な説明】
【技術分野】
【０００１】
この発明は、時刻をアナログ表示するためのアナログムーブメントとともに、時刻、月日、曜日、電池残量、その他の情報表示を行い、または照明用として用いるＬＥＤを搭載する、アナログ腕時計等の携帯時計に関する。および、そのような携帯時計で用いる携帯時計用回路基板に関する。
【背景技術】
【０００２】
従来の腕時計の中には、例えば図７に示すように、時計ケース１内にモジュールを設け、アナログムーブメント２と、文字板３と、指針４などを備えて、時刻をアナログ表示するとともに、文字板３の裏側（裏ブタ５側）に遮光板６を備え、その遮光版の収納孔６ａ内にＬＥＤ７を収納するものがある。そして、ＬＥＤ７を点灯したときにのみＬＥＤ７の光が文字板３を透して視認し得る光透過率で文字板３を形成し、ＬＥＤ７を用いて文字板３に浮き上がるように、時刻、月日、曜日、電池残量、その他の表示情報を表示可能としたものがある。
【０００３】
従来、このような腕時計にあっては、ＬＥＤ７をフレキシブル基板１００に実装する一方、そのＬＥＤ７を駆動するＬＥＤ駆動回路８およびアナログムーブメント２を駆動する時計駆動回路９をリジット基板２００に実装し、フレキシブル基板１００の連結部１００ａを折り曲げてリジット基板２００に接続していた。
【０００４】
図８には、フレキシブル基板１００の裏表を示す。フレキシブル基板１００の表側（文字板３側となる面）には、複数のＬＥＤ７を配置する。一方、図９には、リジット基板２００の裏表を示す。リジット基板２００の表側には、ＬＥＤ駆動回路８と時計駆動回路９を配置していた。
【０００５】
そして、フレキシブル基板１００の連結部１００ａ先端の接続部分ａを、ＡＣＦ（異方性導電ゴム）やＡＣＰ（異方性導電ペースト）などの導電性の熱圧着接着材を使用してリジット基板２００の接続部分ｂに接続する。その接続した状態の表裏を、図１０および図１１に示す。
【０００６】
それから、リジット基板２００をアナログムーブメント２に搭載し、ＬＥＤ７を収納孔６ａ内に入れて連結部１００ａで折り曲げ、図７に示すようにアナログムーブメント２を時計ケース１内に組み込み、モジュール中に組み付けていた。
【０００７】
【特許文献１】ＷＯ２００６／０３３３１７号公報
【特許文献２】特開平８−１２２４６８号公報
【特許文献３】特開平１１−３０４９６７号公報
【発明の開示】
【発明が解決しようとする課題】
【０００８】
ところが、腕時計などの携帯時計では、時計ケース１内の空間が限られていることから、フレキシブル基板１００の接続部分ａとリジット基板２００の接続部分ｂとの接着面積を十分に取ることができず、接続部分ａ、ｂにおいて接着不良を生ずるおそれがあり、またフレキシブル基板１００の連結部１００ａの曲げがきつくなってパターンに断線を生じたり、接続部分ａ、ｂにかかる負荷が大きくなって接続部分ａ、ｂに剥がれを生じたりするおそれがあり、接続の信頼性が低く、コストも高くなる問題があった。
【０００９】
そこで、この発明の目的は、アナログムーブメントを有するとともに、ＬＥＤを備える携帯時計において、アナログムーブメント駆動用の時計駆動回路を実装する基板と、ＬＥＤを実装する基板との接続の信頼性を向上することにある。
【課題を解決するための手段】
【００１０】
かかる目的を達成すべく、請求項１ないし５に記載の発明は、時刻をアナログ表示するためのアナログムーブメントを有するとともに、情報表示用や証明用などのＬＥＤを備える携帯時計において、
第１部分と第２部分とそれらを連結する連結部とからなるフレキシブル基板を用い、そのフレキシブル基板の第１部分にＬＥＤを実装するとともに、第２部分に、時計駆動回路を実装するリジット基板を重ね合わせて回路基板を構成し、
その回路基板をアナログムーブメントに搭載し、連結部で折り曲げてモジュール中に組み付けてなることを特徴とする。
【００１１】
ＬＥＤを文字板の裏側に配置し、そのＬＥＤを点灯したときにのみＬＥＤの光が文字板を透して視認し得る光透過率で文字板を形成し、ＬＥＤを点灯したとき表示情報が文字板上に浮き上がるようにするとよい。第１部分には、ＬＥＤを、７セグメント配置構成に実装したり、ドットマトリックス配置構成に実装したり、照明用として使用したりする。
【００１２】
また、請求項６に記載の発明は、第１部分と、第２部分と、それらを連結する連結部とからなるフレキシブル基板を用い、そのフレキシブル基板の第１部分にＬＥＤを実装するとともに、第２部分に、時計駆動回路を実装するリジット基板を重ね合わせてなることを特徴とする、携帯時計用回路基板である。
【発明の効果】
【００１３】
請求項１ないし５に記載の発明によれば、アナログムーブメントを有するとともに、ＬＥＤを備える携帯時計において、フレキシブル基板の第１部分にＬＥＤを実装するとともに、第２部分に、時計駆動回路を実装するリジット基板を重ね合わせて回路基板を構成し、その回路基板をアナログムーブメントに搭載し、連結部で折り曲げてモジュール中に組み付けので、ＬＥＤを実装する基板と、アナログムーブメント駆動用の時計駆動回路を実装する基板とを一体化して導電性の熱圧着接着材などを用いた接続を不要とし、従来の接着不良やパターンの断線や接続部分の剥がれなどの問題をなくして、安価で接続の信頼性を向上することができる。
【００１４】
また、接続に要するスペースが不要になり、基板に搭載する電子部品などのレイアウトの自由度を増大することができる。ＩＣなどの電子部品を実装する部分には、リジット基板を張り合わせることで補強して、必要な強度を確保することができる。
【００１５】
請求項６に記載の発明によれば、携帯時計用回路基板において、フレキシブル基板の第１部分にＬＥＤを実装するとともに、第２部分に、時計駆動回路を実装するリジット基板を重ね合わせて構成するので、ＬＥＤを実装する基板と、アナログムーブメント駆動用の時計駆動回路を実装する基板とを一体化して導電性の熱圧着接着材などを用いた接続を不要とし、従来の接着不良やパターンの断線や接続部分の剥がれなどの問題をなくして、安価で接続の信頼性を向上することができる。
【００１６】
また、請求項６に記載の発明においても、接続に要するスペースが不要になり、基板に搭載する電子部品などのレイアウトの自由度を増大することができる。ＩＣなどの電子部品を実装する部分には、リジット基板を張り合わせることで補強して、必要な強度を確保することができる。
【発明を実施するための最良の形態】
【００１７】
以下、図面を参照しつつ、この発明の実施の最良形態につき説明する。
図１には、この発明による携帯時計の一例であるアナログ腕時計の内部構成を示す。
【００１８】
図示アナログ腕時計では、時刻をアナログ表示するとともに、必要に応じて外部操作を行うことによりＬＥＤを用いて、時刻、月日、曜日、電池残量、その他の表示情報を文字板に浮き上がるように表示することができる。
【００１９】
図中符号１０は、内部にモジュールを収納する時計ケースである。時計ケース１０には、表側（正面）に風防ガラス１２を取り付ける。裏側には、裏ブタ１３を取り付けてなる。右側面には、３時位置にリューズ１４を設けてなる。
【００２０】
時計ケース１０内には、モジュールホルダＭの中央に位置決めしてアナログムーブメント１５を有する。アナログムーブメント１５には、回路基板１６を搭載する。回路基板１６は、図２およびその図２に示す状態を左右に反転した図３に示すように、外周の一部を真っ直ぐに切り落としたほぼ円形の第１部分１７と、ほぼ円形の第２部分１８と、それらを連結する帯状の連結部１９とからなるフレキシブル基板２０を用い、そのフレキシブル基板２０の第１部分１７にＬＥＤ２２を実装するとともに、第２部分１８に、アナログムーブメント１５を駆動する時計駆動回路２３やＬＥＤ２２を駆動するＬＥＤ駆動回路２４などを実装するリジット基板２５を重ね合わせて構成する。
【００２１】
ここで、フレキシブル基板２０の厚さは、０．１ｍｍ前後であり、リジット基板２５の厚さは、０.２〜０．４程度である。両者は、接着などで貼り合わせてなり、互いのパターンをスルホールにて回路的に導通してなる。
【００２２】
なお、第１部分１７上のＬＥＤ２２は、図４（Ａ）に示すように、７つのＬＥＤで数字の８の字を形成する７セグメント配置構成２６を、真ん中の２つのコロンを構成するＬＥＤ２７を挟んで、３時側と９時側に振り分けて２つずつ形成するように実装する。ただし、現実には、図示するように、もっとも９時側の７セグメント配置構成２５は、１つのセグメントを省略して６つのセグメントで構成している。
【００２３】
そして、リジット基板２５を重ね合わせた第２部分１８をアナログムーブメント１５に搭載し、時計駆動回路２３およびＬＥＤ駆動回路２４を表側として連結部１９を折り返し、ＬＥＤ２２を表向きにしてモジュールに組み付けてなる。
【００２４】
そのように組み付けたアナログムーブメント１５の裏側には、図１に示すように、リチウム電池２８を交換可能に配置し、モジュールホルダＭに掛け止める電池押え２９で押さえてモジュールホルダＭに固定する。図示省略するが、電池押え２９には、いくつかのスイッチ部を形成し、それらのスイッチ部を、対応する外部操作部材で操作することにより、例えば表示情報を表示したり、切り換えたりすることができるようになっている。
【００２５】
一方、アナログムーブメント１５の表側には、回路基板１６の第１部分１７を挟んで遮光板３０を備える。遮光板３０は、黒色等の遮光性のある色の樹脂材料を用いてつくり、表裏を貫通して収納孔を複数あけてなる。収納孔には、７セグメント配置構成２６を構成するＬＥＤ２２を収納する長孔形状の収納孔３１と、コロンを構成するＬＥＤ２７を収納する丸形状の収納孔３２とがある。収納孔３１、３２は、内側面を白色に塗装してなり、回路基板１６上の各ＬＥＤ２２、２７に対応して、図４（Ｂ）に示すように設ける。そして、遮光板３０の裏側に回路基板１６を取り付けたとき、各収納孔３１、３２内にＬＥＤ２２、２７を１つずつ入り込ませるようにする。
【００２６】
遮光板３０には、表面に、時刻数字や時字等の時刻表示を有し、裏面に、光拡散のための白系統の塗料が塗ってある文字板３３を重ね合わせる。文字板３３は、例えばプラスチックやガラス等よりなる透明材料の表面に印刷等によりインクを付着して形成したり、プラスチックやガラス等よりなる色付きの半透明材料を用いて形成したりする。
【００２７】
そして、文字板３３の裏側に配置するＬＥＤ２２、２７を点灯したときのみ、ＬＥＤ２２、２７の光が文字板３３を透して視認し得る光透過率で文字板３３を形成する。ＬＥＤ２２の光は、遮光板３０の収納孔３１内側面と文字板３３の裏面の塗装により収納孔３１内で拡散し、表示情報を良好に表示することができる。
【００２８】
図１中符号３４は、アナログムーブメント１５からのびて文字板３３の中心から突出する運針軸の先端に取り付け、時刻をアナログ表示する、時針、分針、秒針などの指針である。
【００２９】
なお、上述した例では、回路基板１６の第２部分１８にのみリジット基板２５を貼り付けて補強したが、第１部分１７も必要に応じて適宜リジット基板で補強してもよい。また、リジット基板は、片面だけではなく両面に貼り付けるようにしてもよい。
【００３０】
また、上述した例では、第１部分１７にＬＥＤ２２を７セグメント配置構成２６に実装したが、これに限らず、図５（Ａ）に示すように、ほぼ円形の第１部分１７にＬＥＤ２２をドットマトリックス配置構成に実装してもよく、この場合には、遮光板３０の収納孔３１も、それらのＬＥＤ２２を収納することができるように、図５（Ｂ）に示すように、ドットマトリックス配置構成とする。さらに、ＬＥＤ２２を照明用として使用することもできる。例えば、図６（Ａ）に示すように、ほぼ円形の第１部分１７の中心まわり周辺に照明用ＬＥＤ２２を３０度間隔に配置し、遮光板３０の収納孔３１も、それらの照明用ＬＥＤ２２を収納することができるように、図６（Ｂ）に示すごとく、ほぼ円形の遮光板３０の中心まわり周辺に３０度間隔にあける。
【図面の簡単な説明】
【００３１】
【図１】この発明による携帯時計の一例であるアナログ腕時計の内部構成図である。
【図２】そのアナログ腕時計で用いる回路基板の展開片面図である。
【図３】その回路基板を左右に反転して示す展開他面図である。
【図４】（Ａ）はその回路基板の第１部分上のＬＥＤ配置構成図、（Ｂ）はそれに対応する遮光板の収納孔配置構成図である。
【図５】（Ａ）は第１部分にドットマトリックス状態で配置したＬＥＤ配置構成図、（Ｂ）はそれに対応する遮光板の収納孔配置構成図である。
【図６】（Ａ）は第１部分に照明用として配置したＬＥＤ配置構成図、（Ｂ）はそれに対応する遮光板の収納孔配置構成図である。
【図７】従来のアナログ腕時計の内部構成図である。
【図８】その従来のアナログ腕時計で用いるフレキシブル基板の表裏面図である。
【図９】その従来のアナログ腕時計で用いるリジット基板の表裏面図である。
【図１０】フレキシブル基板とリジット基板の接続状態の展開片面図である。
【図１１】フレキシブル基板とリジット基板の接続状態の展開他面図である。
【符号の説明】
【００３２】
１５    アナログムーブメント
１６    回路基板
１７    フレキシブル基板の第１部分
１８    フレキシブル基板の第２部分
１９    フレキシブル基板の連結部
２０    フレキシブル基板
２２    ＬＥＤ
２３    時計駆動回路
２５    リジット基板
２６    ７セグメント配置構成
２７    ＬＥＤ
３３    文字板
【図１】
2008151589.tif 000003
【図２】
2008151589.tif 000004
【図３】
2008151589.tif 000005
【図４】
2008151589.tif 000006
【図５】
2008151589.tif 000007
【図６】
2008151589.tif 000008
【図７】
2008151589.tif 000009
【図８】
2008151589.tif 000010
【図９】
2008151589.tif 000011
【図１０】
2008151589.tif 000012
【図１１】
2008151589.tif 000013